(57)【要約】本発明は、ポリマーの主鎖に組み込まれた、またはペンダント型結合によってポリマーに付加されたヒドロキシル基含有生物活性剤を有するポリマーに関する。これらのポリマーに付加されうるヒドロキシル基含有生物活性剤は、トリクロサンのような抗菌剤を含む。該ポリマーは、医療デバイス、またはそのようなデバイスのコーティングの形成に用いられうる。ヒドロキシル基含有生物活性剤は、ポリマー主鎖、またはペンダント型結合のｉｎ  ｖｉｖｏでの加水分解によってポリマーから放出されうる。【特許請求の範囲】
【請求項１】
生分解性ポリマーの主鎖に組み込まれた少なくとも1つのヒドロキシル基含有生物活性剤を含む、生物活性ポリマーであって、
前記生分解性ポリマーがｉｎ  ｖｉｖｏで分解するときに抗菌剤が放出される、生物活性ポリマー。
【請求項２】
前記生分解性ポリマーの主鎖は、グリコリド、グリコール酸、ラクチド、乳酸、カプロラクトン、ジオキサノン、トリメチレンカーボネート、ジメチルトリメチレンカーボネート、これらの共重合体、およびこれらの組み合わせからなる群から選択される少なくとも１つのモノマーである、請求項１に記載の生物活性ポリマー。
【請求項３】
前記生分解性ポリマーの主鎖は、コラーゲン、キチン、キトサン、アミノ酸ポリマー、分解性ポリウレタン、ポリアルキレンオキシド開始ブロック共重合体、多糖類、およびこれらの組み合わせからなる群から選択される、請求項１に記載の生物活性ポリマー。
【請求項４】
前記ヒドロキシル基含有生物活性剤は、ｐ‐クロロ‐ｍ‐キシレノール、トリクロサンおよびアルコールからなる群から選択される抗菌剤である、請求項１に記載の生物活性ポリマー。
【請求項５】
前記抗菌剤はトリクロサンを含む、請求項１に記載の生物活性ポリマー。
【請求項６】
請求項１に記載の生物活性ポリマーを含む、医療デバイス。
【請求項７】
請求項１に記載の生物活性ポリマーを含む、手術器具。
【請求項８】
請求項１に記載の生物活性ポリマーを含む、縫合糸。
【請求項９】
請求項１に記載の生物活性ポリマーを含む組成物でコーティングされた、縫合糸。
【請求項１０】
ポリマー主鎖と、
少なくとも１つのヒドロキシル基含有抗菌剤と、
前記少なくとも１つのヒドロキシル基含有抗菌剤を前記ポリマー主鎖に付加する生分解性結合と、
を含む生物活性ポリマーであって、
前記生分解性結合がｉｎ  ｖｉｖｏで分解するときに、ヒドロキシル基含有抗菌剤が前記ポリマー主鎖から放出される、生物活性ポリマー。
【請求項１１】
前記ポリマー主鎖は生分解性ポリマーを含む、請求項１０に記載の生物活性ポリマー。
【請求項１２】
前記ポリマー主鎖は、グリコリド、グリコール酸、ラクチド、乳酸、カプロラクトン、ジオキサノン、トリメチレンカーボネート、ジメチルトリメチレンカーボネート、これらの共重合体、およびこれらの組み合わせからなる群から選択される少なくとも１つのモノマーから少なくとも部分的に形成される、請求項１０に記載の生物活性ポリマー。
【請求項１３】
前記ポリマー主鎖は、コラーゲン、キチン、キトサン、アミノ酸ポリマー、分解性ポリウレタン、ポリアルキレンオキシド開始ブロック共重合体、多糖類、およびこれらの組み合わせからなる群から選択される生分解性ポリマーを含む、請求項１０に記載の生物活性ポリマー。
【請求項１４】
前記ポリマー主鎖は非吸収性ポリマーを含む、請求項１０に記載の生物活性ポリマー。
【請求項１５】
前記ポリマー主鎖は、ポリエステル、ポリアミド、ポリウレタン、ポリカーボネート、ポリアミド、フッ素重合体、ポリオレフィン、ビニルポリマー、およびこれらの組み合わせからなる群から選択されるポリマーから少なくとも部分的に形成される、請求項１０に記載の生物活性ポリマー。
【請求項１６】
前記ヒドロキシル基含有抗菌剤は、ｐ‐クロロ‐ｍ‐キシレノール、トリクロサン、およびアルコールからなる群から選択される、請求項１０に記載の生物活性ポリマー。
【請求項１７】
前記ヒドロキシル基含有抗菌剤はトリクロサンを含む、請求項１０に記載の生物活性ポリマー。
【請求項１８】
前記生分解性結合は、エーテル、エステル、ウレタン、およびアセタールからなる群から選択される、請求項１０に記載の生物活性ポリマー。
【請求項１９】
請求項１０に記載の生物活性ポリマーを含む、医療デバイス。
【請求項２０】
請求項１０に記載の生物活性ポリマーを含む、縫合糸。
【請求項２１】
請求項１０に記載の生物活性ポリマーを含む、手術器具。
【請求項２２】
請求項１０に記載の生物活性ポリマーを含む組成物によってコーティングされた、縫合糸。
【発明の詳細な説明】
【技術分野】
【０００１】
関連出願への相互参照
本願は、２００６年２月２８日に出願された米国仮特許出願第６０／７７７，４３０号の利益および優先権を主張する。米国仮特許出願第６０／７７７，４３０号は、本明細書中に参考として援用される。
【０００２】
技術分野
本発明の開示は、医療デバイス、またはそのデバイス上のコーティングを形成するのに好適なポリマーに関する。より詳しくは、本発明の開示は、ｉｎ  ｖｉｖｏで抗菌剤のような生物活性剤を放出できるポリマーに関する。
【背景技術】
【０００３】
背景技術の説明
合成ポリマー材料を含む生分解材料は、様々な用途、とりわけ医療目的で生分解材料が生体内に埋め込まれる用途が当業者に知られている。「生分解」という用語は、通常、生体による代謝および／または排出が可能な小さな構成物質にまで分解できる材料を言い表している。加水分解は、生体内に埋め込まれた後、多くの生分解材料が分解される１つの機構である。加水分解的に不安定なため生分解性である合成ポリマーは、１つ以上のグリコリド、ラクチド、ｐ‐ジオキサノン、ε‐カプロラクトンおよび／またはトリメチレンカーボネートから得られたポリマーである。そのような材料から作られた医療デバイス（例えば、縫合糸、留め具、ピンなど）は、治療中組織を所望の位置で一時的に留めておき、一定時間後生体内に吸収されるのに役立ちうる。
【０００４】
感染を減らし治癒を促進させるには、縫合糸のような医療デバイス上のコーティングに抗菌剤を用いることは、場合によっては望ましい。しかし、デバイスの取り扱い、または使用によりコーティングが取り除かれてしまう場合、あるいは抗菌剤が揮発性である場合は、コーティングされた医療デバイスが十分な期間抗菌活性を有効なレベルで保てなくなるおそれがある。医療デバイスが作られている材料の中に抗菌剤を組み込む場合、材料内の抗菌剤の分布は制御するのが難しくなる可能性があり、医療デバイスを形成するのに用いる方法（例えば、鋳造、伸張、焼鈍など）によって左右されるおそれがある。デバイス内の抗菌剤の分布が不均一であると、ｉｎ  ｖｉｖｏでの埋め込みによる抗菌剤の所望の放出特性が得られなくなる場合がある。
【０００５】
したがって、抗菌効果が予測可能な医療デバイスが必要とされている。
【発明の開示】
【課題を解決するための手段】
【０００６】
概要
本発明の開示は、医療デバイスを形成するのに役立ちうる生物活性ポリマーを提供する。生物活性ポリマーは、生分解性ポリマーの主鎖に組み込まれた、またはペンダント型結合によってポリマーに付加された少なくとも１つのヒドロキシル基含有生物活性剤を含む。ヒドロキシル基含有抗菌剤のような、ヒドロキシル基含有生物活性剤は、生分解性ポリマーとして放出されるか、またはペンダント型結合がｉｎ  ｖｉｖｏで分解する。いくつかの実施形態において、トリクロサンは生物活性ポリマーを形成するのに用いられる抗菌剤である。
【０００７】
本発明で開示された生物活性ポリマーは、医療デバイスまたはその上のコーティングを形成するのに用いられうる。
【発明を実施するための最良の形態】
【０００８】
詳細な説明
本明細書中で説明されるポリマーは、ポリマーに結合した、少なくとも１つのヒドロキシル基含有生物活性剤を有し、該生物活性剤はポリマーの加水分解によりｉｎ  ｖｉｖｏで放出される。本明細書で用いられているように、「生物活性ポリマー」は、ポリマーに結合した、少なくとも１つのヒドロキシル基含有生物活性剤を有するポリマーである。本明細書で用いられているように、「生物活性剤」および「ヒドロキシル基含有生物活性剤」は、ｉｎ  ｖｉｖｏでの生物活性、および生物活性剤を生物活性ポリマーに結び付けることができる少なくとも１つのヒドロキシル基を有する化合物を言い表すのに交互に用いられている。いくつかの実施形態においては、生物活性剤はポリマーの主鎖に組み込まれてもよい。その場合、ｉｎ  ｖｉｖｏでのポリマーの分解によって生物活性剤を放出できる生活性ポリマーであると有利である。他の実施形態では、生物活性剤は生分解性ペンダント型結合を通してポリマーに結び付けられてもよい。ペンダント型結合はｉｎ  ｖｉｖｏで分解し、それによってポリマーから生物活性剤を放出する。
【０００９】
外科的または医学的応用で用いられるいかなるポリマーも、本発明の開示にしたがって用いられてよい。いくつかの実施形態においては、ポリマーは生分解性でもよい。このようなポリマーは当業者の理解の範囲内であり、グリコリド、グリコール酸、ラクチド、乳酸、カプロラクトン、ジオキサノン、トリメチレンカーボネート、ジメチルトリメチレンカーボネート（ｄｉｍｅｔｈｙｌ  ｔｒｉｍｅｔｈｙｌｅｎｅ  ｃａｒｂｏｎａｔｅ）で作られた吸収性ポリマー、それらのブロック共重合体またはランダム共重合体、ならびにそれらの混合物およびブレンドを含むそれらの組み合わせを含むが、これらに限られない。用いられうる他の生分解性材料は、コラーゲン、キチン、キチン誘導体（例えばキトサン）、アミノ酸ポリマー（例えばゼラチン）、分解性ポリウレタン、ポリアルキレンオキシド開始ブロック共重合体（ｐｏｌｙａｌｋｙｌｅｎｅ  ｏｘｉｄｅ  ｉｎｉｔｉａｔｅｄ  ｂｌｏｃｋ  ｃｏｐｏｌｙｍｅｒ）、多糖類（例えばデキストラン）、およびそれらの組み合わせを含むが、これらに限られない。
【００１０】
いくつかの実施形態においては、生分解性ポリマーは、ハード相形成モノマーから作られている１つのブロック、すなわち「Ａ」ブロック、およびランダムに共重合された、ソフト相形成モノマーのランダム共重合体から作られているもう１つのブロック、すなわち「Ｂ」ブロックを有するポリアルキレンオキシド開始ブロック共重合体を含んでもよい。これら２つの特定のブロックは、有利に結合可能であり、ブロック共重合体を形成する。ブロック共重合体は、ＡＢ、ＡＢＡ、ＡＢＡＢ、ＡＢＣＢＡ、ＢＡＢＡ、ＢＡＣＡＢなどの繰り返しブロックユニット（ｒｅｐｅａｔｉｎｇ  ｂｌｏｃｋ  ｕｎｉｔ）を有してもよい。
【００１１】
本発明で開示された生物活性ポリマーを形成するのに用いられうるポリマーの重量平均分子量（Ｍｗ）は、約２，０００から約２００，０００ダルトンまで変動しうるが、実施形態では約３，５００から約１００，０００ダルトンまで、他の実施形態では約５，０００から約２０，０００ダルトンまででもよい。数平均分子量（Ｍｎ）も、広く変動しうるが、約１，０００から１００，０００まででよく、実施形態では約２，０００から５０，０００まで、他の実施形態では約２，５００から約１０，０００まででもよい。固有粘度は、４０℃のクロロホルム中で約０．０１から約２．０ｄＬ／ｇまで変動しうるが、実施形態では約０．１から約１．０ｄＬ／ｇまで、他の実施形態では約０．２から約０．５ｄＬ／ｇまででもよい。
【００１２】
上述したように、いくつかの実施形態では、生物活性剤がポリマー主鎖中に組み込まれてよい。生物活性剤をポリマー主鎖中に組み込むという方法は、当業者の理解の範囲内である。一実施形態では、ヒドロキシル基含有生物活性剤は合成中にポリマー主鎖の中へ組み込まれ、分解中にそこから放出される。例えば、分解性ポリウレタンはポリマーとして用いることができ、その場合ヒドロキシル基含有生物活性剤はポリマー主鎖に組み込まれうる。同様に、分解性ポリ（リン酸エステル）はポリマーとして用いることができ、その場合ヒドロキシル基含有生物活性剤生物活性剤は、ポリ（リン酸エステル）の主鎖の部分となりうる。
【００１３】
本発明で開示された他の実施形態では、ヒドロキシル基含有生物活性剤はペンダント型結合を用いてポリマーに付加、または結び付けられてもよい。生物活性剤がペンダント型結合を用いてポリマー鎖に結び付けられる場合、ポリマーは上記のような生分解性ポリマーであってもよいし、非吸収性ポリマーであってもよい。用いられうる好適な非吸収性またはより恒久的なポリマー材料として、ポリエステル類（例えばポリアルキルテレフタレート（ｐｏｌｙａｌｋｙｌ  ｔｅｒｅｐｈｔｈａｌａｔｅ））、ポリアミド類（例えばナイロン）、ポリウレタン類、ポリカーボネート類、ポリアミド類、フッ素重合体、ポリオレフィン類、ビニルポリマー類、これらの組み合わせ、およびその同類物がある。
【００１４】
ヒドロキシル基含有生物活性剤とポリマーの反応によってペンダント型結合が形成された結果生じうる、ペンダント型生分解性結合は、例えばエーテル結合、エステル結合、ウレタン結合、アセタール結合、それらの組み合わせ、およびその同類の物を含む。ヒドロキシル基含有生物活性剤とポリマーの反応によってペンダント型結合が形成された結果生じうる、他の例示的なペンダント型生分解性結合は、アミド、炭酸塩、リン酸エステルを含む。ヒドロキシル基含有生物活性剤のヒドロキシ基は、ポリマー主鎖上のペンダント基と反応してもよく、それによって生分解性結合が形成されて生物活性剤がポリマーに結び付けられる。結合はｉｎ  ｖｉｖｏでの加水分解によって分解してもよく、ポリマーから生物活性剤を放出する。
【００１５】
ペンダント基を有するポリマーにヒドロキシル基含有生物活性剤を付加する方法は、選ばれるポリマーおよびペンダント基に依存するであろう。例えば、いくつかの実施形態では、ポリマーは、ヒドロキシル基含有生物活性剤が付加されうる場所を提供するペンダント基を有する１つ以上のアミノ酸から、少なくとも部分的に作られたポリマー鎖を含んでもよい。好適なアミノ酸として、例えばセリン、トレオニン、アスパラギン酸、グルタミン酸、アルギニン、リジン、システイン、シスチン、チロシンおよびメチオニン、アスパラギン、グルタミン、フェニルアラニン、トリプトファン、プラリン、ヒスチジン、それらの組み合わせ、およびその同類物がある。ポリアミノ酸鎖の正確な組成物は、十分な数のペンダント基含有アミノ酸がその鎖に組み込まれ、生物活性剤の所望の付加を提供するという条件で、広範囲に変動しうる。ポリマー鎖は多様なアミノ酸、またはアミノ酸と組み合わされた他のモノマー類を含みうる。用いられうるこのような他のモノマー類は、例えば、グリコリド、ラクチド、カプロラクトン、アルキレンカーボネート類、アルキレンオキシド類、それらの組み合わせ、およびその同類物などの吸収性ポリマー類を提供する既知のモノマー類も含んでよい。したがって、ポリアミノ酸鎖は、単独重合体または共重合体（ランダム、ブロックまたはグラフト）であってよい。ポリアミノ酸鎖中のペンダント基含有アミノ酸の量は、約５から約１００パーセントまでありうる。
【００１６】
用いられるペンダント結合に関係なく、生物活性剤／ポリマー結合はｉｎ  ｖｉｖｏで（例えば加水分解によって）分解し、それによりポリマー主鎖から生物活性剤を放出するであろう。
【００１７】
他の実施形態では、生分解性ネットワーク構造が、生物学的に関連する条件下で分解されうるネットワーク構造内に共有結合または非共有結合を置くことによって調製されてもよい。これは２つの別の構造モチーフを用いることも含んでもよい。生物活性剤と組み合わされた分解性構造は、ポリマー主鎖、架橋剤構造のどちらの中へも置かれうる。例えば、ＰＥＧ、グリコール酸およびフマル酸結合を含有する水溶性線状共重合体が調製されてもよい。フマル酸によって、第二のネットワーク形成重合段階のフリーラジカル重合を通して、線状ポリマーが架橋されることができ、その結果、グリコール酸エステル結合の加水分解を通して分解しうるポリマーネットワークが作製される。ヒドロキシル基含有生物活性剤を架橋剤に添加することで、生物活性剤がポリマーネットワークの中に組み込まれてもよい；生物活性剤はその後、グリコール酸エステル結合の加水分解によって該ネットワークから放出されてもよい。用いられ、生物活性剤に結び付けられうる他の架橋剤は、無水物、オルトエステル、リン酸エステル、それらの組み合わせ、およびその同類物などの１つ以上の基を含有する分解領域を含む。
【００１８】
いくつかの場合においては、２つ以上の生物活性剤の組み合わせが本発明で開示された組成物中に組み込まれることが可能である。例えばそれは、第一の生物活性剤をポリマー主鎖の中へ組み込むことにより、および第２の生物活性剤をペンダント付加することによって達成されることができる。他の実施形態では、主鎖の中へ組み込まれた、またはペンダント位置を通して付加された異なる薬剤を有する異なるポリマーの混合物を供給することで、生物活性剤の組み合わせが送達されうる。本発明で開示されている生物活性ポリマーは、いくつかの実施形態では、生分解中のポリマーまたはペンダント結合の加水分解に応じて、少なくとも部分的に調整される、ｉｎ  ｖｉｖｏでの生物活性物質の放出速度によって特徴づけることができる。
【００１９】
したがって、加水分解の速度、および生物活性剤の放出速度は、生物活性剤とポリマーの結合の物理化学的特性を変えることで、数分から数ヶ月に変えることができる。放出速度は、結合の性質に左右されうる；立体化学制御、すなわち加水分解されることになる結合周囲の変動する量の立体障害を組み込むことによって；電子制御、すなわち反応性結合周囲の変動する電子供与／受容基を組み込むことによって、誘導／共鳴による反応度を制御すること；生物活性剤とポリマー主鎖間の結合基の親水性／疎水性を変化させること；結合基の長さを変えること、例えばそれらの長さを増やすことで、加水分解されることになる結合がより水に接近しやすくなる；および／またはデバイスが置かれている環境に存在する酵素による攻撃を受け易い結合を用いること。
【００２０】
さらに、ポリマーが生分解性ポリマーである場合、ｉｎ  ｖｉｖｏでのその分解は、少なくとも部分的に、その分子量、結晶化度、生物学的安定性、およびその架橋度に依存する。通常、分子量が多いほど、結晶化度が高まり、生物学的安定性が大きくなり、生分解性ポリマーの生分解が遅くなる。
【００２１】
本発明で開示されているポリマーに付加されうる、またはその主鎖に組み込まれうる好適なヒドロキシル基含有生体活性剤は、殺菌剤、および／または消毒剤のような抗菌剤を含む。生物活性剤が抗菌剤である場合、抗菌剤はポリマーを囲む組織の中へ放出されてもよく、外科創傷部位または外傷部位の臨床的および無症状的感染の抑制を補助するのに用いられうる。
【００２２】
抗菌剤として用いられうる殺菌剤および消毒剤の例示的、非限定的な例は、ＰＣＭＸ（すなわち、ｐ‐クロロ‐ｍ‐キシレノール）およびトリクロサン（すなわち、２，４，４’‐トリクロロ‐２’‐ヒドロキシジフェニルエーテル）、アルコール類、それらの組み合わせ、およびその同類物のようなハロ置換フェノール化合物類を含む。実施形態では、少なくとも１つの生物活性剤はトリクロサンのような殺菌剤でありうる。
【００２３】
ポリマーに添加される生物活性物質は、治療上有効な量で含まれうる。ポリマーに添加される生物活性物質の有効量は、用いられる特定の薬剤およびポリマーに依存するであろうが、生物活性物質はポリマー／生物活性剤の組み合わせの量の約１％から約６５％までの量で存在しうる。特定の生物活性物質では治療する有効なレベルをより少ない量で達成しうる。実施形態によっては、生物活性剤はポリマー／生物活性剤の組み合わせの約１％から約８０％の量で存在してもよく、他の実施形態ではポリマー／生物活性剤の約５％から約５０％の量でよい。
【００２４】
いくつかの実施形態では、本発明で開示されているポリマー類は、生物活性剤の代わりに、またはそれと組み合わせて、さらなる医薬剤も含んでもよい。このような医薬剤は以下のものを含みうる；局部麻酔薬；非ステロイド性避妊薬；副交換神経興奮薬：精神治療薬；精神安定剤；充血除去剤；催眠鎮静薬；ステロイド；スルホンアミド；交感神経作用薬；ワクチン；ビタミン；抗マラリア剤；抗片頭痛薬；Ｌ‐ドーパ（Ｌ‐ｄｏｐａ）のような抗パーキンソン薬；抗けいれん薬；抗コリン剤（例えばオキシブチニン）；鎮咳薬；気管支拡張剤；冠拡張薬およびニトログリセリンのような心・血管作動薬；アルカロイド；鎮痛剤；コデイン、ジヒドロコデイノン、メペリジン、モルヒネおよびその同類物のような麻酔薬；サリチル酸塩、アスピリン、アセトアミノフェン、ｄ‐プロポキシフェンおよびその同類物のような非麻酔性薬剤；ナルトレキソンおよびナロキソンのようなオピオイド受容体拮抗薬；抗癌剤；抗けいれん薬；制吐薬；抗ヒスタミン剤；ホルモン剤、ヒドロコルチゾン、プレドニゾロン、プレドニゾン、非ホルモン剤、アロプリノール、インドメタシン、フェニルブタゾンおよびその同類物のような抗炎症薬；プロスタグランジンおよび細胞毒性薬；エストロゲン；抗菌剤；抗真菌剤；抗ウイルス剤；抗凝血剤；鎮痙剤；抗鬱剤；抗ヒスタミン剤；免疫薬、およびそれらの組み合わせ。
【００２５】
他の実施形態では、ポリマーに含まれうるさらなる医薬剤は、免疫グロブリン、抗体、サイトカイン類（例えばリンフォカイン類、モノカイン類、ケモカイン類）、血液凝固因子、造血因子、インターロイキン（ＩＬ‐２，ＩＬ‐３，ＩＬ‐４，ＩＬ‐６）、インターフェロン（β‐ＩＦＮ，（α‐ＩＦＮおよびγ‐ＩＦＮ）、エリスロポエチン、ヌクレアーゼ、腫瘍壊死因子、コロニー刺激因子（例えばＧＣＳＦ，ＧＭ‐ＣＳＦ，ＭＣＳＦ）、インスリン、酵素（例えばスーパーオキシドジスムターゼ、組織プラスミノゲン活性化因子）、癌抑制因子、血漿タンパク、ゴナドトロピン（例えばＦＳＨ，ＬＨ，ＣＧなど）、ホルモン類およびホルモン類似体類（例えば成長ホルモン、副腎皮質刺激ホルモン、黄体形成ホルモン放出ホルモン（ＬＨＲＨ））、ワクチン類（例えば腫瘍性、細菌性およびウイルス性の抗原）；ソマトスタチン；抗原性薬剤；血液凝固因子；成長因子（例えば神経成長因子、インスリン様成長因子）；タンパク質阻害剤、タンパク質アンタゴニスト、およびタンパク質アゴニスト；アンチセンス分子、ＤＮＡおよびＲＮＡのような核酸；オリゴヌクレオチド；リボザイム；および上記物質の組み合わせのような、ウイルスおよび細胞、ペプチド類（例えばゴセレリンおよびエクセンジン（ｅｘｅｎｄｉｎ）のような黄体形成ホルモン放出ホルモン類似体）およびタンパク質類、類似体、突然変異タンパク質類、およびそれらの活性フラグメントを含む。
【００２６】
存在する医薬剤の量は、選ばれた特定の医薬剤に依存するであろうが、実施形態においては、ポリマー組成物の重量の約０．０１％から約１０％まででありうる。
【００２７】
本発明で開示されたポリマー類は、移植、注入、または別の方法で全部、または一部が体内に置かれるのに用いられうる多様な外科的デバイスを形成するのに用いられてもよい。本発明で開示されたポリマー／生物活性剤を用いる際に準備されうる外科用品および医療用品は、火傷包帯；創傷包帯；ヘルニアパッチ；医療用包帯；筋膜置換材；肝臓の止血用のガーゼ、布、シート、フェルトまたはスポンジ；包帯用ガーゼ；動脈グラフトまたは置換材；皮膚表面用の包帯；結節縫合用クリップ；整形外科用ピン、クランプ、ねじ、およびプレート；クリップ（例えば大静脈用）；ステープル；フック、ボタン、および留め金を含む締め具；代用骨（例えば下顎プロテーゼ）；子宮内避妊デバイス（例えば殺精子デバイス）；排出管または試験管あるいは毛細管；手術器具；血管インプラントまたは補助材；吻合リング；脊椎板；人工腎臓および人工心肺用の体外管類；人工皮膚；カテーテル；縫合糸；薬物送達デバイス；接着剤；シーラント；再生医療用の足場、およびその同類物を含むが、必ずしもこれらに限られない。
【００２８】
生分解性の医療デバイスおよび薬物送達物は、いくつかの方法で調製できる。生物活性剤と組み合わされたポリマーは、従来の押出成形または射出成形技術を用いて溶解処理されることができ、またはこれらの生成物は、適切な溶媒の中で溶解され、その後デバイスが形成され、続いて蒸発または抽出により溶媒を除去することによって、調製されうる。
【００２９】
医療デバイスが所定の位置に置かれると、該デバイスは、血液、内分泌器官、粘膜内層、脳脊髄液、およびその同類物のような体液に少なくとも部分的に接したままでよい。
【００３０】
構造的な医療デバイスとして、本発明で開示されている生物活性ポリマーの組成物は、応用に十分な特定の化学、物理、および機械的特性を有する物理的形状、ならびにｉｎ  ｖｉｖｏで毒性のない残留物に分解する組成物を提供する。
【００３１】
他の実施形態では、本発明で開示されている生物活性ポリマーは、医療デバイスに塗膜として塗布してもよい。本発明で開示されているポリマーが塗布されうる好適な医療デバイスは、例えば、外科用縫合針、ステープル、クリップ、薬物送達デバイス、ステント、ピン、ねじ、および縫合糸、人工靭帯、人工腱、織り網、ガーゼ、包帯、グロスマトリクス（ｇｒｏｗｔｈ  ｍａｔｒｉｃｅｓ）およびその同類物のような繊維性の外科用品など、上記全てのデバイスを含む。
【００３２】
生物活性ポリマーは、従来の技術を用いて塗膜として塗布してもよい。例えば、生物活性ポリマーは、揮発性有機溶剤、例えばアセトン、メタノール、酢酸エチル、トルエン、それらの組み合わせ、およびその同類物の希釈液中で可溶化でき、その後製品をその溶液に浸漬してその表面を覆うことができる。表面がコーティングされたら、溶媒および任意の残留反応物が取り除かれるまで高温で乾燥されうる場合、外科用品は溶液から除去することができる。
【００３３】
本発明で開示されている生物活性ポリマーが溶液中で塗布される場合、用いられる溶媒は、用いられる溶液の重量比で約１５％から約９９％まで、実施形態によっては重量比で約６０％から約９８％までとし、生物活性剤、および任意の添加医薬剤または補助剤を含む本発明で開示されているポリマーを塗布することができる。いくつかの実施形態では、溶媒を重量比で用いられる溶液の９５％とし、本発明で開示された生物活性ポリマーを塗布することができる。
【００３４】
さらに、本発明で開示されている生物活性ポリマーは、他の生体適合性ポリマーと組み合わせてもよいが、それは該生体適合性ポリマーが組成物の生分解特性を望ましくなく妨げない場合に限る。開示されている生物活性ポリマーとこのような他のポリマーとのブレンドにより、標的とされた薬物の送達に要求される正確な放出特性、または構造的なインプラントに要求される正確な生分解率をよりいっそう柔軟に意図することができる。このような添加する生体適合性ポリマーの例として、他のポリカーボネート類、ポリエステル類、ポリオルトエステル、ポリアミド類、ポリウレタン類、ポリ（イミノカーボネート類（ｉｍｉｎｏｃａｒｂｏｎａｔｅｓ））、ポリ無水物、これらの組み合わせ、およびその同類物が挙げられる。
【００３５】
なお、本明細書で開示された実施態様には、様々な変更がなされてもよい。例えば、移植を目的とする医療デバイスに加えて、手術器具（内視鏡を含むが、これに限らない）が本開示の生物活性ポリマーで作られる、またはコーティングすることができることも意図されるであろう。したがって、いくつかの実施形態において、本発明の生物活性ポリマーは、手術器具の製造またはそのコーティングに用いることができる。それゆえ、上記の説明は限定して解釈されるべきではなく、好適な実施形態の例示として解釈されるべきである。当業者は、本明細書に添付された請求項の範囲と精神の中において、他の変更例も着想するであろう。
【国際調査報告】
2009528431.tif 000002